(57)【特許請求の範囲】
【請求項１】
折れ線を介して後面板、一方の側面板、前面板、他方の側面板および胴部内板が順次連設され、前面板の上辺には天面板が連設され、天面板の先端には差込み片が連設され、胴部内板の上辺には天面外板が連設されており、
胴部内板と天面外板の間の折れ線の略中央部を起立部折れ線として、胴部内板側に区画された略扇形状の吊下げ片と、天面外板側に区画された略三角状の吊下げ補助片とにより起立部が構成されており、
起立部の吊下げ片は、起立部折れ線の一方の端から胴部内板側に延び、途中にツナギのある直線状切れ線と、起立部折れ線の他方の端からその直線状切れ線の先端に向けて延び、直線状切れ線の先端付近に係止部分を残すように打ち抜かれた所定幅の円弧状切欠きとにより、起立部折れ線を半径とする略１／４円周の扇形状に形成されており、
起立部の吊下げ補助片は、起立部折れ線の一方の端から天面外板側に延びる斜め方向の折れ線と、起立部折れ線の他方の端からその斜め方向の折れ線の先端に向けて延びる円弧状切れ線とにより、斜め方向の折れ線を底辺とし起立部折れ線と円弧状切れ線で挟まれたところが起き上がる略三角状に形成されており、
胴部内板は吊下げ片以外のところで後面板の内側に貼着され、天面外板は差込み片を後面板の内側に差し込んで胴部の上部を閉じた天面板の外面に吊下げ補助片以外のところで貼着され、胴部内板の吊下げ片と天面外板の吊下げ補助片とからなる起立部が引き起し可能になっており、吊下げ片と吊下げ補助片を上方に引き上げたときに、吊下げ片の係止部分が円弧状切欠きの端に引っ掛かって止まるようになっていることを特徴とする吊下げ片付きカートン。
【発明の詳細な説明】
【技術分野】
【０００１】
本発明は、商品を収納して吊り下げた状態で陳列・販売することができる吊下げ片付きカートンに関するものである。
【背景技術】
【０００２】
従来、この種のカートンとして、紙箱の後面板から孔開きの吊下げ片を延設したものが使われていたが、このタイプのカートンでは、流通途中で吊下げ片が破損したり、棚に置いて陳列する場合には吊下げ片が邪魔になっていた。そこで、後面板の一部に切込み線により吊下げ片を区画しておき、使用時にこれを起こすようにしたものが知られているが、このタイプのカートンでは、吊下げ片を起こす際につかみにくいし、起こした吊下げ片の裏面が露出して見栄えがよくない。
【０００３】
そこで、これらの問題点の解決を図ったものとして、本出願人は、すでに特許文献１に記載のカートンを提案している。この文献に記載のカートンは、前面板の上辺に天面板を連設し、その天面板の上辺に差込み板を連設してあり、天面板と差込み板の間の折れ線の略中央部を起立部折れ線として、起立部折れ線から差込み板側に、吊下げ部分と係止部分とからなる吊下げ片を切込み線により区画するとともに、起立部折れ線から天面板側に、折れ線と切込み線により略三角形状の吊下げ補助片を区画してある。
【０００４】
このように、天面板と差込み板に渡って吊下げ片と吊下げ補助片とからなる起立部を形成してあるので、使用時にこの起立部を起立させ、吊下げ片に設けてある吊下げ用孔を利用してフック等に吊り下げて陳列・販売を行うようになっている。すなわち、必要に応じて自立展示と吊下げ展示を選択できるものである。
【先行技術文献】
【特許文献】
【０００５】
【特許文献１】特開２００６−５６５７０号公報
【発明の概要】
【発明が解決しようとする課題】
【０００６】
上記した吊下げ片付きカートンは、従来のものと比べると、保管、運搬時に吊下げ片が邪魔になったり破損したりすることがなく、起立部が起こしにくいこともなく、起こした起立部の裏面が見えて見栄えが悪くなることもないという利点がある。ところが、前面板の上辺に連設する差込み板に吊下げ片を区画する構成になっているので、差込み板のサイズが大きくなり、汎用の自動充填機が使用できないという問題があった。
【０００７】
本発明は、このような問題に鑑みてなされたものであり、その目的とするところは、店頭で自立展示と吊下げ展示が選択できる機能を有しながら、汎用の自動充填機での充填が可能な吊下げ片付きカートンを提供することにある。
【課題を解決するための手段】
【０００８】
上記の目的を達成するため、本発明の吊下げ片付きカートンは、
折れ線を介して後面板、一方の側面板、前面板、他方の側面板および胴部内板が順次連設され、前面板の上辺には天面板が連設され、天面板の先端には差込み片が連設され、胴部内板の上辺には天面外板が連設されており、
胴部内板と天面外板の間の折れ線の略中央部を起立部折れ線として、胴部内板側に区画された略扇形状の吊下げ片と、天面外板側に区画された略三角状の吊下げ補助片とにより起立部が構成されており、
起立部の吊下げ片は、起立部折れ線の一方の端から胴部内板側に延び、途中にツナギのある直線状切れ線と、起立部折れ線の他方の端からその直線状切れ線の先端に向けて延び、直線状切れ線の先端付近に係止部分を残すように打ち抜かれた所定幅の円弧状切欠きとにより、起立部折れ線を半径とする略１／４円周の扇形状に形成されており、
起立部の吊下げ補助片は、起立部折れ線の一方の端から天面外板側に延びる斜め方向の折れ線と、起立部折れ線の他方の端からその斜め方向の折れ線の先端に向けて延びる円弧状切れ線とにより、斜め方向の折れ線を底辺とし起立部折れ線と円弧状切れ線で挟まれたところが起き上がる略三角状に形成されており、
胴部内板は吊下げ片以外のところで後面板の内側に貼着され、天面外板は差込み片を後面板の内側に差し込んで胴部の上部を閉じた天面板の外面に吊下げ補助片以外のところで貼着され、胴部内板の吊下げ片と天面外板の吊下げ補助片とからなる起立部が引き起し可能になっており、吊下げ片と吊下げ補助片を上方に引き上げたときに、吊下げ片の係止部分が円弧状切欠きの端に引っ掛かって止まるようになっていることを特徴とする。
【発明の効果】
【０００９】
本発明の吊下げ片付きカートンは、後面板の内側に胴部内板を設け、その胴部内板の上辺に天面外板を連設し、その胴部内板と天面外板に渡って吊下げ片と吊下げ補助片とからなる起立部を形成してあるので、使用時にこの起立部を引き起こし、吊下げ片に設けてある吊下げ用孔を利用してフック等に吊り下げて陳列・販売を行えることはもちろん、天面板の上辺に連設する差込み板に吊下げ片を区画する従来のカートンに比べると、天面板に連設する差込み片のサイズを大きくする必要がなく、汎用の自動充填機での充填が可能となる。
【図面の簡単な説明】
【００１０】
【図１】本発明に係る吊下げ片付きカートンの一例を後側から見た状態で示す斜視図である。
【図２】図１の吊下げ片付きカートンを組み立てるブランクの展開図である。
【図３】図１の吊下げ片付きカートンにおける起立部を起こした状態で示す斜視図である。
【発明を実施するための形態】
【００１１】
次に、本発明の実施形態について図面を参照しながら詳細に説明する。
【００１２】
図１は本発明に係る吊下げ片付きカートンＣの一例を示す斜視図であり、このカートンは図２にその展開図を示すブランクＢを組み立てて形成される。
【００１３】
図２のブランクＢは、紙器用の板紙を打ち抜いて形成されたもので、図示のように、縦方向の折り線ａ，ｂ，ｃ，ｄを介して後面板１１、一方の側面板１２、前面板１３、他方の側面板１４および胴部内板１５が順次連設されている。そして、前面板１３の上辺には折れ線ｅを介して天面板１６が連設され、天面板１６の先端には折れ線ｆを介して差込み片１７が連設されており、胴部内板１５の上辺には折れ線ｇを介して天面外板１８が連設されている。
【００１４】
一方の側面板１２の上辺には、折れ線ｈを介して折込みフラップ１９が連設され、他方の側面板１４の上辺には折れ線ｉを介して折込みフラップ２０が連設されている。また、前面板１３の下辺には折れ線ｊを介して底面内板２１が連設され、後面板１１の下辺には折れ線ｋを介して底面板２２が連設されており、一方の側面板１２の下辺には、折れ線ｌを介して折込みフラップ２３が連設され、他方の側面板１４の下辺には折れ線ｍを介して折込みフラップ２４が連設されている。また、後面板１１の上辺中央には、半円状の上部切欠き１１ａが形成されている。
【００１５】
また、図２のブランクＢでは、胴部内板１５と天面外板１８の間の折れ線ｇの略中央部を起立部折れ線αとして、胴部内板１５側に略扇形状の吊下げ片３１が区画され、天面外板１８側に略三角状の吊下げ補助片３２が区画されており、この起立部折れ線αを挟む吊下げ片３１と吊下げ補助片３２とが起立可能な起立部を構成している。この例では、起立部折れ線αは通常の押罫で形成してあるが、折れ線ｇにおける起立部折れ線α以外のところは、折曲げやすさを考慮して押罫の途中に切込みのあるリード罫とされている。
【００１６】
そして、起立部の吊下げ片３１は、起立部折れ線αの一方の端から胴部内板１５側に延び、途中にツナギのある直線状切れ線ｘと、起立部折れ線αの他方の端からその直線状切れ線ｘの先端に向けて延び、直線状切れ線ｘの先端付近に係止部分３１ａを残すように打ち抜かれた所定幅の円弧状切欠きｓとにより、起立部折れ線αを半径とする略１／４円周の扇形状に形成されている。さらに、この吊下げ片３１には吊下げ用の孔３１ｂが穿設されている。
【００１７】
また、起立部の吊下げ補助片３２は、起立部折れ線αの一方の端から天面外板１８側に延びる斜め方向の折れ線ｎと、起立部折れ線αの他方の端からその斜め方向の折れ線ｎの先端に向けて延びる円弧状切れ線ｙとにより、斜め方向の折れ線ｎを底辺とし起立部折れ線αと円弧状切れ線ｙで挟まれたところが起き上がる略三角状に形成されている。なお、円弧状切れ線ｙにもその途中にツナギを残している。
【００１８】
図２のブランクＢを組み立てて図１に示す吊下げ片付きカートンＣを形成するが、その手順は通常のカートンと同様である。まず、後面板１１を胴部内板１５の外側に貼り合わせたサック貼り状態で折り畳む。このとき、胴部内板１５は吊下げ片３１以外のところで後面板１１の内側に貼着される。そして、このサック貼り状態のブランクを自動充填機にかけて内容物を収納した状態にする。すなわち、折り畳んだブランクを起こして角筒状の胴部を形成してから、下側の折込みフラップ２３，２４を内側に折り曲げ、その上から底面内板２１、底面板２２を折り曲げて糊付けすることで二重の底面部を形成する。次いで、空いている上部から胴部内に内容物を投入した後、上側の折込みフラップ１９、２０を内側に折り曲げ、その上から天面板１６を折り曲げて先端の差込み片１７を胴部内板１５の裏面側に差し込んでから、天面外板１８を折り曲げて天面板１６の外面に貼り合わせることにより二重の天面部を形成する。このとき、天面外板１８は吊下げ補助片２以外のところで天面板１６の外面に貼着される。なお、底部と天面部の形成順序は逆でもよい。
【００１９】
図２のブランクＢは、後面板の内側に胴部内板を設け、その胴部内板の上辺に天面外板を連設し、その胴部内板と天面外板に渡って吊下げ片と吊下げ補助片とからなる起立部を形成してあり、従来のカートンのように差込み片のサイズが大きくないので、汎用の自動充填機にて充填を行うことができる。
【００２０】
このように組み立てると、図１に示すように、後面板１１の上部切欠き１１ａのところに吊下げ片３１の一部が露出した状態になる。そして、このままの状態で店頭にて自立展示することができるし、必要に応じて吊り下げて展示することもできる。
【００２１】
実際に、図１の吊り下げ片付きカートンＣをフック等に吊り下げて展示するには、後面板１１の上部切欠き部１１ａを利用して起立部を起こす。すなわち、後面上部に露出している吊下げ片３１と天面にある吊下げ補助片３２とを指先で挟むように摘み、吊下げ片３１における直線状切れ線ｘのツナギと吊下げ補助片３１における円弧状切れ線ｙのツナギを破断しながら、吊下げ片３１と吊下げ補助片３２を上方に引き上げる。このとき、吊下げ片３１の係止部分３１ａが円弧状切欠きｓの端に引っ掛かって止まるまで引き上げることにより、吊下げ片３１と吊下げ補助片３２とで構成される起立部を図３に示すような起立状態とする。そして、このように起立部を起立させると、吊下げ片３０には下げ用孔３１ｂがあるので、吊下げフック等に通してカートンを吊り下げることができる。
【００２２】
以上、本発明の実施の形態について、一つの例を挙げて詳細に説明してきたが、本発明による吊下げ片付きカートンは、上記した実施の形態に何ら限定されるものではなく、本発明の趣旨を逸脱しない範囲において種々の変更が可能である。
【符号の説明】
【００２３】
Ｃ  吊下げ片付きカートン
Ｂ  ブランク
１０  ブランク
１１  後面板
１１ａ  上部切欠き
１２  側面板
１３  前面板
１４  側面板
１５  胴部内板
１６  天面板
１７  差込み片
１８  天面外板
１９，２０  折込みフラップ
２１  底面内板
２２  底面板
２３，２４  折込みフラップ
３１  吊下げ片
３１ａ  係止部分
３１ｂ  孔
３２  吊下げ補助片
ａ〜ｎ  折れ線
ｓ  円弧状切欠き
ｘ  直線状切れ線
ｙ  円弧状切れ線
α  起立部折れ線
【図１】
0006338102.tif 000002
【図２】
0006338102.tif 000003
【図３】
0006338102.tif 000004